(57)【特許請求の範囲】
【請求項１】
槽の底に堆積した堆積物を掻き寄せる掻寄羽根と、
前記槽内を周回し、その一部が前記槽の底に沿うように第一従動用スプロケット及び第二従動用スプロケットによって張設され、前記掻寄羽根が周回方向に沿って複数取り付けられた無端チェーンと、
前記第一従動用スプロケットの上方かつ水平方向において離間する位置に配置され、前記無端チェーンを前記第一従動用スプロケットに向けて送り出す駆動用スプロケットと、
前記駆動用スプロケットと前記第一従動用スプロケットとの間で弛んだ前記無端チェーンを、前記掻寄羽根を介して水平方向に支持し案内するガイドレールと、
前記掻寄羽根の前記ガイドレールに対する接地地点を検知する検知手段と、
を備え、
前記検知手段は、
回転可能に支持されたストライカーと、
前記ストライカーが回動することにより上下動するリンク棒と、を有し、
前記ストライカーが、前記掻寄羽根の前記ガイドレールに対する接地地点において前記掻寄羽根に接触し、前記無端チェーンの弛み量に応じて前記接地地点が移動することに伴い回動することによって前記無端チェーンの弛み量を検知する、
堆積物の掻寄装置。
【請求項２】
前記無端チェーンの一部が前記槽内に形成される水面に沿うように前記駆動用スプロケットと前記第一従動用スプロケットとの間に配置された第三従動用スプロケットを備える請求項１に記載の堆積物の掻寄装置。
【発明の詳細な説明】
【技術分野】
【０００１】
本発明は、槽の底に堆積した堆積物を掻き寄せる堆積物の掻寄装置に関する発明である。
【背景技術】
【０００２】
従来、沈殿池等の槽の底に堆積した堆積物を掻き寄せる掻寄装置として、槽の底面と水面との間に張設された無端チェーンに板状のフライト（掻寄羽根）を複数取り付け、このフライトを槽の底面に沿うように周回軌道を周回させ、槽の底に堆積した堆積物を掻き寄せる、いわゆるチェーンフライト式の掻寄装置が知られている。
【０００３】
このようなチェーンフライト式の掻寄装置では、チェーンの周回軌道における駆動用スプロケットの下流側でチェーンが所定以上に弛むと、チェーンとスプロケットとが正常に噛合しなくなりチェーンの破断等の原因となる場合がある。そのため、以下の特許文献１に記載の検知装置では、駆動スプロケットホイールと、この駆動スプロケットホイールの下流側に設けられた従動スプロケットホイールとの間であってチェーンの下方に、回転自在のレバーを設け、チェーンが弛んで所定量垂下すると、チェーンがレバーの先端を押してレバーを回転させ、回転したレバーが警報装置のスイッチを作動させるようになっている。
【先行技術文献】
【特許文献】
【０００４】
【特許文献１】実開昭５５−４９７３３号公報
【発明の概要】
【発明が解決しようとする課題】
【０００５】
しかしながら、上記特許文献１に記載の検知装置においては、チェーンの弛み量として連続した二つのフライト間でチェーンが垂下した量が測定されるため、その測定量は小さく、誤検知が生じるおそれがある。
【０００６】
本発明は、このような課題を解決するために成されたものであり、駆動用スプロケットの下流側のチェーンの弛みを高精度に検知することができる堆積物の掻寄装置を提供することを目的とする。
【課題を解決するための手段】
【０００７】
本発明に係る堆積物の掻寄装置は、槽の底に堆積した堆積物を掻き寄せる掻寄羽根と、槽内を周回し、その一部が槽の底に沿うように第一従動用スプロケット及び第二従動用スプロケットによって張設され、掻寄羽根が周回方向に沿って複数取り付けられた無端チェーンと、第一従動用スプロケットの上方かつ水平方向において離間する位置に配置され、無端チェーンを第一従動用スプロケットに向けて送り出す駆動用スプロケットと、駆動用スプロケットと第一従動用スプロケットとの間で弛んだ無端チェーンを、掻寄羽根を介して水平方向に支持し案内するガイドレールと、掻寄羽根のガイドレールに対する接地地点を検知する検知手段とを備える。
【０００８】
本発明によれば、槽内を周回する無端チェーンに掻寄羽根が周回方向に沿って複数取り付けられ、この無端チェーンの一部が第一従動用スプロケット及び第二従動用スプロケットによって槽の底に沿うように張設され、第一従動用スプロケットの上方かつ水平方向において離間する位置に配置された駆動用スプロケットによって、無端チェーンが第一従動用スプロケットに向けて送り出される。従って、無端チェーンは駆動用スプロケットと第一従動用スプロケットとの間で、すなわち駆動用スプロケットの周回方向下流側で弛み、ガイドレールによって掻寄羽根を介して支持され水平方向に案内される。そして、検知手段によって、掻寄羽根のガイドレールに対する接地地点が検知されるため、無端チェーンの弛み量が増加して掻寄羽根のガイドレールに対する接地地点が第一従動用スプロケットから離れる側に移動すると、この接地地点に基づいて無端チェーンの弛みが検知可能となる。このように、駆動用スプロケットと第一従動用スプロケットとの間における無端チェーンの弛み量に応じた掻寄羽根のガイドレールに対する接地地点を検知し、この接地地点に基づいて無端チェーンの弛みが検知可能となるので、フライト間の弛みを検出する上記特許文献１に記載の検知装置に比してその検出する弛み量が大きくなり、駆動用スプロケットの下流側のチェーンの弛みを高精度に検知することができる。
【０００９】
ここで、無端チェーンの一部が、槽内に形成される水面に沿うように駆動用スプロケットと第一従動用スプロケットとの間に配置された第三従動用スプロケットを備える構成であると、駆動用スプロケットと第三従動用スプロケットとの間で水面に浮上するスカムを掻き寄せて排出することができる。
【００１０】
また、検知手段は、回転可能に支持されたストライカーと、ストライカーが回動することにより上下動するリンク棒とを有し、ストライカーが、掻寄羽根のガイドレールに対する接地地点において掻寄羽根に接触し、無端チェーンの弛み量に応じて接地地点が移動することに伴い回動することによって無端チェーンの弛み量を検知することを特徴とするものであっても良い。
【発明の効果】
【００１１】
本発明によれば、駆動用スプロケットの下流側のチェーンの弛みを高精度に検知することができる堆積物の掻寄装置を提供することができる。
【図面の簡単な説明】
【００１２】
【図１】本発明の第一実施形態に係る掻寄装置を示す概略側面図である。
【図２】図１のII-II矢視図である。
【図３】図１に示す掻寄装置の動作を説明する拡大図である。
【図４】本発明の第二実施形態に係る掻寄装置を示す概略側面図である。
【発明を実施するための形態】
【００１３】
以下、図面を参照しつつ本発明の堆積物の掻寄装置の好適な実施形態について詳細に説明する。なお、同一の要素には同一の符号を付し、重複する説明は省略する。
【００１４】
図１は本発明の第一実施形態に係る掻寄装置を示す概略側面図、図２は図１のII-II矢視図であり、この掻寄装置１００は、例えば下水処理場の沈殿槽等の内部に設けられるものである。
【００１５】
図１に示すように、掻寄装置１００は、槽１の内部を周回する一対の本体チェーン（無端チェーン）２，２を備えており、この一対の本体チェーン２，２は、槽１の幅方向（紙面垂直方向）に離間して設けられている。槽１の下部一方側（紙面右側）には、幅方向に離間し軸で連結された一対の第一スプロケット（第一従動用スプロケット）３，３が設けられており、下部他方側（紙面左側）には、幅方向に離間し軸で連結された一対の第二スプロケット（第二従動用スプロケット）４，４が設けられている。そして、本体チェーン２は、槽１の底に沿うように第一スプロケット３及び第二スプロケット４に掛け渡されて張設されている。
【００１６】
槽１の上部他方側、すなわち第一スプロケット３の上方かつ水平方向において離間する位置（第二スプロケット４の上方）には、幅方向に離間し軸で連結された一対の駆動用スプロケット５，５が設けられている。また、槽１の上部略中央部、すなわち駆動用スプロケット５と第一スプロケット３との間であって駆動用スプロケット５の水平方向に離間する位置には、幅方向に離間し軸で連結された一対の第三スプロケット（第三従動用スプロケット）６，６が設けられている。そして、第一スプロケット３及び第二スプロケット４に掛け渡された本体チェーン２は、さらに駆動用スプロケット５及び第三スプロケット６に掛け渡され、駆動用スプロケット５と第三スプロケット６との間の部分は、槽１内に形成されている水面に沿うようにされている。
【００１７】
槽１の側壁上面であって一方の駆動用スプロケット５の上方には、モーター７が設置されており、このモーター７は駆動チェーン８を介して駆動用スプロケット５を駆動可能としている。そして、モーター７により駆動された駆動用スプロケット５は、本体チェーン２を駆動用スプロケット５から第三スプロケット６に向けて送り出し、本体チェーン２は、駆動用スプロケット５、第三スプロケット６、第一スプロケット３、第二スプロケット４を巡り駆動用スプロケット５に戻る周回軌道を移動する。
【００１８】
本体チェーン２には、図１及び図２に示すように周回軌道の外方（図１における図示上側の軌道では上方、図示下側の軌道では下方）に向けて突出するアタッチメント２１が周回方向に沿って複数設けられており（図３参照）、幅方向に延在する断面コ字状のフライト（掻寄羽根）９のその両端部が、アタッチメント２１，２１に各々連結されている。このフライト９の両端部はアタッチメント２１より幅方向外側（図２では右側）に各々さらに張り出しており、この張り出し部に樹脂製のシュー９１が取り付けられている。そして、フライト９は、本体チェーン２の周回に伴い槽１の底及び水面に沿って移動し、槽１の底に堆積した堆積物を掻き寄せて槽１の底に設けられた収集ピット１Ａに収集すると共に、水面に浮上したスカムを掻き寄せて第三スプロケット６近傍の収集樋（不図示）に収集する。
【００１９】
第一スプロケット３の幅方向外側近傍には、第二スプロケット４に向けて延在する一対のガイドレール１０，１０が設けられている。このガイドレール１０は、第三スプロケット６と第一スプロケット３との間で、第一スプロケット３側で弛んだ本体チェーン２を、フライト９を介して水平方向に支持し案内するためのものであり、第三スプロケット６と第一スプロケット３との間で第一スプロケット３側に位置するシュー９１を載置する。
【００２０】
また、掻寄装置１００には検知手段５０が備えられており、この検知手段５０はストライカー１１、リンク棒１２、センサ１３及び錘１４によって構成されている。
【００２１】
ストライカー１１は、図２に示すように断面Ｌ字状の細長い板であり、その第一スプロケット３側の部分がガイドレール１０と本体チェーン２との間に位置すると共に、その端部がガイドレール１０の上面よりも下方に位置し、図１に示すようにこれより後側の部分が斜め上方に位置するように傾斜して設けられている。このストライカー１１は、その支点Ｍで槽１の幅方向を軸心方向に回転可能に支持されており、ガイドレール１０に接地したフライト９と接触している。そして、本体チェーン２の弛み量が大きくなり、フライト９のガイドレール１０に対する接地地点が第一スプロケット３から離れる側に移動すると、ストライカー１１が図１において時計回りに回動する。
【００２２】
リンク棒１２は、ストライカー１１の第二スプロケット４側の端部に接続されると共に槽１の側壁上面に設置されたセンサ１３まで延びており、ストライカー１１の回動に伴って上下動する。センサ１３は、リンク棒１２の上下動を検知する。リンク棒１２の下端部には、ストライカー１１のバランスを維持するための錘１４が取り付けられている。
【００２３】
なお、駆動用スプロケット５の近傍からは、第三スプロケット６に向けて延在する一対のリターンレール１５，１５が設けられている。このリターンレール１５は、駆動用スプロケット５と第三スプロケット６との間で、フライト９を介して本体チェーン２を支持し水平方向に案内するためのものである。
【００２４】
図３は、図１に示す掻寄装置の動作を説明する拡大図である。図３（ａ）は本体チェーン２の弛み量が適正な状態を示し、図３（ｂ）は本体チェーン２の弛み量が所定以上である状態を示す。
【００２５】
このような掻寄装置１００では、モーター７によって駆動用スプロケット５が駆動され、本体チェーン２が駆動用スプロケット５、第三スプロケット６、第一スプロケット３、第二スプロケット４を巡り駆動用スプロケット５に戻る周回軌道を周回し、この周回に伴いフライト９が槽１の底及び水面に沿って移動して槽１の底に堆積した堆積物及び水面に浮上したスカムを掻き寄せて収集する。この間、図３（ａ）に示すように、本体チェーン２は、第三スプロケット６と第一スプロケット３との間で、すなわち駆動用スプロケット５の周回方向下流側で弛み、ガイドレール１０によってフライト９を介して支持され水平方向に案内される。また、ストライカー１１はガイドレール１０に接地したフライト９と接触した状態にある。
【００２６】
図３（ｂ）に示すように、本体チェーン２の弛み量が大きくなると、その弛み量に応じてフライト９のガイドレール１０に対する接地地点が第一スプロケット３から離れる側に移動し、この移動に伴いストライカー１１とガイドレール１０に接地したフライト９との接触位置も第一スプロケット３から離れる側に移動し、ストライカー１１が図示時計回りに回動する。ストライカー１１が回動すると、リンク棒１２が上方に移動してセンサ１３に検知され、その移動量よりフライト９のガイドレール１０に対する接地地点が分かるので、本体チェーン２の弛みを検知できる。
【００２７】
このように、駆動用スプロケット５と第一スプロケット３との間における本体チェーン２の弛み量に応じたフライト９のガイドレール１０に対する接地地点を検知し、この接地地点に基づいて本体チェーン２の弛みが検知可能となるため、フライト間の弛みを検出する特許文献１に記載の検知装置に比してその検出する弛み量が大きくなり、駆動用スプロケット５の下流側の本体チェーン２の弛みを高精度に検知することができる。
【００２８】
また、掻寄装置１００は、本体チェーン２の一部が槽１内に形成される水面に沿うように駆動用スプロケット５と第一スプロケット３との間に配置された第三スプロケット６を備えているため、駆動用スプロケット５と第三スプロケット６との間で水面に浮上するスカムを掻き寄せて排出することができる。
【００２９】
次に、本発明の第二実施形態に係る掻寄装置について説明する。
【００３０】
図４は、本発明の第二実施形態に係る掻寄装置を示す概略側面図である。
【００３１】
この掻寄装置２００が、図１に示す第一実施形態に係る掻寄装置１００と異なる点は、第三スプロケット６を無くし、本体チェーン２を４点支持から３点支持に変更した点である。これに伴い、駆動用スプロケット５は槽１の上部略中央部に移動し、リターンレール１５，１５は無くされている。
【００３２】
このような掻寄装置２００が第一実施形態に係る掻寄装置１００と同様に、駆動用スプロケット５の下流側の本体チェーン２の弛みを高精度に検知することができることは言うまでもない。
【００３３】
なお、本発明は上記実施形態に限定されない。例えば、本実施形態においては、センサ１３はストライカー１１が回動しリンク棒１２が上下動するとその上下動を検知できるようになっているが、センサ１３を設けず単にリンク棒１２の上下動を見ることで弛み量を検知しても良い。また、ストライカー１１が回動するとその回動により警報ブザーのスイッチが押され、警報ブザーが鳴るような構成にしても良い。
【符号の説明】
【００３４】
１…槽、２…本体チェーン（無端チェーン）、３…第一スプロケット（第一従動用スプロケット）、４…第二スプロケット（第二従動用スプロケット）、５…駆動用スプロケット、６…第三スプロケット（第三従動用スプロケット）、９…フライト（掻寄羽根）、１０…ガイドレール、５０…検知手段、１００，２００…掻寄装置。
【図１】
0005468511.tif 000002
【図２】
0005468511.tif 000003
【図３】
0005468511.tif 000004
【図４】
0005468511.tif 000005